【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
複数の伝送チャンネルに対応する複数のトランスポートストリームを送信する送信部を備え、
前記伝送チャンネルとしては、１セグメント形式の伝送チャンネル、３セグメント形式の伝送チャンネル、および、１３セグメント形式の伝送チャンネルが可能であり、
前記トランスポートストリームの制御情報として、MPEG-2SystemsのNIT(Network Information Table)を有し、
前記NITには、前記複数の伝送チャンネルが連結送信されていることを示す連結送信記述子を含み、
前記１３セグメント形式の伝送チャンネルは、３階層以上で階層伝送可能になっており、
前記連結送信記述子は、前記３階層以上で階層伝送する場合の各階層の変調方式種別を特定するフィールドを含み、
各階層の変調方式種別を特定する前記フィールドのうち、伝送される階層のフィールドには、差動変調であることを示す値”00”か、または、同期変調であることを示す値”01”の２ビットの情報が格納される
送信装置。
【請求項２】
前記送信部は、前記複数の伝送チャンネルに対応する複数の前記トランスポートストリームを伝送路符号化処理し、その結果得られる前記複数の伝送チャンネルに対応する複数のOFDMシンボルを時間軸方向に同期させ、さらに、周波数方向に多重化し、その周波数方向に多重化した複数のOFDMシンボルを一括して逆フーリエ変換して送信する
請求項１に記載の送信装置。
【請求項３】
前記複数の伝送チャンネルのうちの少なくとも１つは、１３セグメント形式の伝送チャンネルである
請求項１に記載の送信装置。
【請求項４】
複数の伝送チャンネルのうちの少なくとも１つは、３階層以上で階層伝送されている
請求項１に記載の送信装置。
【請求項５】
複数の伝送チャンネルのうちの少なくとも１つは、３階層で階層伝送されている
請求項４に記載の送信装置。
【請求項６】
前記３階層以上に階層伝送可能になっている１つの前記伝送チャンネル以外の、連結送信されている伝送チャンネルの１つは、２階層以下で伝送されている
請求項１に記載の送信装置。
【請求項７】
前記３階層以上に階層伝送可能になっている１つの前記伝送チャンネル以外の、連結送信されている伝送チャンネルの１つは、１階層で伝送されている
請求項６に記載の送信装置。
【請求項８】
連結送信される前記複数の伝送チャンネルのセグメント数は３３セグメントである
請求項１に記載の送信装置。
【請求項９】
各階層の変調方式種別を特定する前記フィールドのうち、伝送がなされない階層の変調方式種別を特定する前記フィールドには、当該階層での伝送がなされないことを示す値が格納される
請求項１に記載の送信装置。
【請求項１０】
前記伝送がなされない階層の変調方式種別を特定する前記フィールドは、”10”の２ビットの情報で表される
請求項９に記載の送信装置。
【請求項１１】
送信装置が、複数の伝送チャンネルに対応する複数のトランスポートストリームを送信するステップを含み、
前記伝送チャンネルとしては、１セグメント形式の伝送チャンネル、３セグメント形式の伝送チャンネル、および、１３セグメント形式の伝送チャンネルが可能であり、
前記トランスポートストリームの制御情報として、MPEG-2SystemsのNIT(Network Information Table)を有し、
前記NITには、前記複数の伝送チャンネルが連結送信されていることを示す連結送信記述子を含み、
前記１３セグメント形式の伝送チャンネルは、３階層以上で階層伝送可能になっており、
前記連結送信記述子は、前記３階層以上で階層伝送する場合の各階層の変調方式種別を特定するフィールドを含み、
各階層の変調方式種別を特定する前記フィールドのうち、伝送される階層のフィールドには、差動変調であることを示す値”00”か、または、同期変調であることを示す値”01”の２ビットの情報が格納される
送信装置の送信方法。
【請求項１２】
複数の伝送チャンネルに対応する複数のトランスポートストリームを送信する送信装置から送信されてきた送信信号を受信する受信部を備え、
前記伝送チャンネルとしては、１セグメント形式の伝送チャンネル、３セグメント形式の伝送チャンネル、および、１３セグメント形式の伝送チャンネルが可能であり、
前記トランスポートストリームの制御情報として、MPEG-2SystemsのNIT(Network Information Table)を有し、
前記NITには、前記複数の伝送チャンネルが連結送信されていることを示す連結送信記述子を含み、
前記１３セグメント形式の伝送チャンネルは、３階層以上で階層伝送可能になっており、
前記連結送信記述子は、前記３階層以上で階層伝送する場合の各階層の変調方式種別を特定するフィールドを含み、
各階層の変調方式種別を特定する前記フィールドのうち、伝送される階層のフィールドには、差動変調であることを示す値”00”か、または、同期変調であることを示す値”01”の２ビットの情報が格納され、
前記受信部は、前記連結送信記述子に基づいて、所望の伝送チャンネルを受信する
受信装置。
【手続補正２】
【補正対象書類名】明細書
【補正対象項目名】０００９
【補正方法】変更
【補正の内容】
【０００９】
本発明の第１の側面の送信装置は、複数の伝送チャンネルに対応する複数のトランスポートストリームを送信する送信部を備え、前記伝送チャンネルとしては、１セグメント形式の伝送チャンネル、３セグメント形式の伝送チャンネル、および、１３セグメント形式の伝送チャンネルが可能であり、前記トランスポートストリームの制御情報として、MPEG-2SystemsのNIT(Network Information Table)を有し、前記NITには、前記複数の伝送チャンネルが連結送信されていることを示す連結送信記述子を含み、前記１３セグメント形式の伝送チャンネルは、３階層以上で階層伝送可能になっており、前記連結送信記述子は、前記３階層以上で階層伝送する場合の各階層の変調方式種別を特定するフィールドを含み、各階層の変調方式種別を特定する前記フィールドのうち、伝送される階層のフィールドには、差動変調であることを示す値”00”か、または、同期変調であることを示す値”01”の２ビットの情報が格納される。
【手続補正３】
【補正対象書類名】明細書
【補正対象項目名】００１０
【補正方法】変更
【補正の内容】
【００１０】
本発明の第１の側面の送信装置の送信方法は、送信装置が、複数の伝送チャンネルに対応する複数のトランスポートストリームを送信するステップを含み、前記伝送チャンネルとしては、１セグメント形式の伝送チャンネル、３セグメント形式の伝送チャンネル、および、１３セグメント形式の伝送チャンネルが可能であり、前記トランスポートストリームの制御情報として、MPEG-2SystemsのNIT(Network Information Table)を有し、前記NITには、前記複数の伝送チャンネルが連結送信されていることを示す連結送信記述子を含み、前記１３セグメント形式の伝送チャンネルは、３階層以上で階層伝送可能になっており、前記連結送信記述子は、前記３階層以上で階層伝送する場合の各階層の変調方式種別を特定するフィールドを含み、各階層の変調方式種別を特定する前記フィールドのうち、伝送される階層のフィールドには、差動変調であることを示す値”00”か、または、同期変調であることを示す値”01”の２ビットの情報が格納される。
【手続補正４】
【補正対象書類名】明細書
【補正対象項目名】００１１
【補正方法】変更
【補正の内容】
【００１１】
本発明の第１の側面においては、複数の伝送チャンネルに対応する複数のトランスポートストリームが送信される。伝送チャンネルとしては、１セグメント形式の伝送チャンネル、３セグメント形式の伝送チャンネル、および、１３セグメント形式の伝送チャンネルが可能であり、トランスポートストリームの制御情報として、MPEG-2SystemsのNIT(Network Information Table)を有し、NITには、複数の伝送チャンネルが連結送信されていることを示す連結送信記述子を含み、１３セグメント形式の伝送チャンネルは、３階層以上で階層伝送可能になっており、連結送信記述子は、３階層以上で階層伝送する場合の各階層の変調方式種別を特定するフィールドを含み、各階層の変調方式種別を特定するフィールドのうち、伝送される階層のフィールドには、差動変調であることを示す値”00”か、または、同期変調であることを示す値”01”の２ビットの情報が格納される。
【手続補正５】
【補正対象書類名】明細書
【補正対象項目名】００１２
【補正方法】変更
【補正の内容】
【００１２】
本発明の第２の側面の受信装置は、複数の伝送チャンネルに対応する複数のトランスポートストリームを送信する送信装置から送信されてきた送信信号を受信する受信部を備え、前記伝送チャンネルとしては、１セグメント形式の伝送チャンネル、３セグメント形式の伝送チャンネル、および、１３セグメント形式の伝送チャンネルが可能であり、前記トランスポートストリームの制御情報として、MPEG-2SystemsのNIT(Network Information Table)を有し、前記NITには、前記複数の伝送チャンネルが連結送信されていることを示す連結送信記述子を含み、前記１３セグメント形式の伝送チャンネルは、３階層以上で階層伝送可能になっており、前記連結送信記述子は、前記３階層以上で階層伝送する場合の各階層の変調方式種別を特定するフィールドを含み、各階層の変調方式種別を特定する前記フィールドのうち、伝送される階層のフィールドには、差動変調であることを示す値”00”か、または、同期変調であることを示す値”01”の２ビットの情報が格納され、前記受信部は、前記連結送信記述子に基づいて、所望の伝送チャンネルを受信する。
【手続補正６】
【補正対象書類名】明細書
【補正対象項目名】００１３
【補正方法】変更
【補正の内容】
【００１３】
本発明の第２の側面においては、複数の伝送チャンネルに対応する複数のトランスポートストリームを送信する送信装置から送信されてきた送信信号が受信される。伝送チャンネルとしては、１セグメント形式の伝送チャンネル、３セグメント形式の伝送チャンネル、および、１３セグメント形式の伝送チャンネルが可能であり、トランスポートストリームの制御情報として、MPEG-2SystemsのNIT(Network Information Table)を有し、NITには、複数の伝送チャンネルが連結送信されていることを示す連結送信記述子を含み、１３セグメント形式の伝送チャンネルは、３階層以上で階層伝送可能になっており、連結送信記述子の各階層の変調方式種別を特定する前記フィールドのうち、伝送される階層のフィールドには、差動変調であることを示す値”00”か、または、同期変調であることを示す値”01”の２ビットの情報が格納される。送信信号の受信では、連結送信記述子に基づいて、所望の伝送チャンネルが受信される。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
本発明の第１の側面によれば、１３セグメント形式の伝送データを連結して送信することができる。